(57)【要約】      （修正有）【課題】被充電電池の定格電流に対して制御ユニット上で設定することが可能で、これにより被充電電池を保護するとともに、充電時の電流を安定させ、且つ使用寿命を延長させることが出来る、電池充電平衡化装置を提供する。【解決手段】少なくとも一つの第一充電電池１０と、少なくとも一つの第二充電電池２０と、制御ユニット３０とからなる。制御ユニット３０は、第一充電電池１０及び第二充電電池２０と電気的に接続されるとともに、計測部品３１と、開閉部品３２とからなる。更に、制御ユニット３０は、所定の電流の強さを設定し、計測部品３１は、第一充電電池１０及び第二充電電池２０の総電流を計測する。総電流が所定の電流の強さよりも大きい時、開閉部品３２は第一充電電池１０との接続をオフにし、第二充電電池２０の電流が所定の電流の強さよりも小さい時、開閉部品３２は第一充電電池１０との接続をオンにする。【選択図】図３
0003202471.tif 000002
【実用新案登録請求の範囲】
【請求項１】
少なくとも一つの第一充電電池と、少なくとも一つの第二充電電池と、制御ユニットとからなる、電池充電平衡化装置であって、
前記制御ユニットは、前記第一充電電池及び前記第二充電電池と電気的に接続されるとともに、前記制御ユニットは、計測部品と、開閉部品とからなり、
更に、前記制御ユニットは、所定の電流の強さを設定し、
前記計測部品は、前記第一充電電池及び前記第二充電電池の総電流を計測し、
前記総電流が前記所定の電流の強さよりも大きい時、前記開閉部品によって前記第一充電電池との接続がオフになり、
前記第二充電電池の電流が前記所定の電流の強さよりも小さい時、前記開閉部品によって前記第一充電電池との接続がオンになることを特徴とする、電池充電平衡化装置。
【請求項２】
前記制御ユニットには、更に第一入力ポート、及び第二入力ポートが設けられ、
前記第一充電電池と前記第二充電電池が互いに充電されるように、前記第一入力ポートは前記第一充電電池と接続され、前記第二入力ポートは前記第二充電電池と接続されて並列回路を形成し、
前記所定の電流の強さは、前記第一充電電池と前記第二充電電池の定格電流よりも小さいか、或は同等であることを特徴とする、請求項１に記載の電池充電平衡化装置。
【請求項３】
前記制御ユニットは、更に機能ユニットと電気的に接続され、
前記機能ユニットは、少なくとも一つの発光素子と、ディスプレイと、少なくとも一つの音声ユニットとからなることを特徴とする、請求項１、或は請求項２のいずれかに記載の電池充電平衡化装置。
【請求項４】
前記制御ユニットは、演算処理装置であり、ＭＣＵ・ＯＰ・コンパレータの中のいずれか一つであることを特徴とする、請求項３に記載の電池充電平衡化装置。
【請求項５】
前記開閉部品は、ＭＯＳであることを特徴とする、請求項１に記載の電池充電平衡化装置。
【考案の詳細な説明】
【技術分野】
【０００１】
本考案は、充電平衡化装置に関し、特に、電流の強さを判断し、且つ自動で接続のオン・オフが可能な、電池充電平衡化装置に関する。
【背景技術】
【０００２】
現在、車両救援のために使用されている電池は、一般に電圧値の異なる二つの電池が並列接続されており、以下の問題を生じている。
【０００３】
二つの電池が並列接続される時、高電位の電池から低電位の電池に向けて充電される。充電電流の大きさは、二つの電池の電圧差の高低と正比例するため、充電電流が大き過ぎた時には、並列接続コードの電流容量をオーバーしてしまい、並列接続コードが高熱を発して、並列接続コードがショートする可能性があり、更には、電池の燃焼・爆発を招くこともある。また、充電電流が被充電電池の電流容量を超えた時には、被充電池の老朽化が早まったり使用寿命が縮まったりする。更に、深刻な場合には、被充電電池の発熱・変形・燃焼・爆発を招き、使用者に対して多大な経済的・身体的損害を与える可能性がある。
【考案の概要】
【考案が解決しようとする課題】
【０００４】
上記の問題に鑑み、本考案は、被充電電池の定格電流に対して制御ユニット上で設定することが可能で、これにより被充電電池を保護するとともに、充電時の電流を安定させ、且つ使用寿命を延長させることが出来る、電池充電平衡化装置を提供することを目的とする。
【０００５】
また、本考案は、制御ユニットと計測部品及び開閉部品が組合されて、計測部品が電池の電流を計測するとともに、設定された所定の電流範囲内において接続のオン・オフを絶え間なく繰り返すことにより、第一電池と第二電池が互いに充電されるとともに（双方向）、計測部品と開閉部品が限流と平衡化の効果を果たし、これにより、双方向の限流と充電の平衡化という目的を達成する、電池充電平衡化装置を提供することを目的とする。
【課題を解決するための手段】
【０００６】
上述の目的を達成するために、本考案の電池充電平衡化装置は、少なくとも一つの第一充電電池と、少なくとも一つの第二充電電池と、制御ユニットとからなる。前記制御ユニットは、前記第一充電電池及び前記第二充電電池と電気的に接続されるとともに、計測部品と、開閉部品とからなる。更に、前記制御ユニットは、所定の電流の強さを設定し、前記計測部品は、前記第一充電電池及び前記第二充電電池の総電流を計測する。前記総電流が所定の電流の強さよりも大きい時、前記開閉部品は前記第一充電電池との接続をオフにし、前記第二充電電池の電流が所定の電流の強さよりも小さい時、前記開閉部品は前記第一充電電池との接続をオンにする。
【図面の簡単な説明】
【０００７】
【図１】本考案の斜視分解図である。
【図２】本考案の斜視外観図である。
【図３】本考案の使用状態を示した概略図である。
【考案を実施するための形態】
【０００８】
図１、及び図２を参照する。本考案の電池充電平衡化装置１は、少なくとも一つの第一充電電池１０と、少なくとも一つの第二充電電池２０と、制御ユニット３０とからなる。尚、これらの構造及び対応関係については、以下で述べる。
【０００９】
図１から図３までを参照する。制御ユニット３０は、第一充電電池１０及び第二充電電池２０と並列接続されるとともに、制御ユニット３０は、計測部品３１と、開閉部品３２と、第一入力ポート３３と、第二入力ポート３４とからなる。更に、制御ユニット３０は、演算処理装置であり、例えば、ＭＣＵ・ＯＰ・コンパレータの中のいずれか一つである。開閉部品３２は、ＭＯＳである。また、制御ユニット３０は、箱体３５内に設けられる。
【００１０】
上述した第一入力ポート３３は、第一充電電池１０と接続され、第二入力ポート３４は、第二充電電池２０と接続されることにより、並列回路を形成する。
【００１１】
制御ユニット３０は、更に、機能ユニット４０と電気的に接続される。機能ユニット４０は、少なくとも一つの発光素子（図示せず）と、ディスプレイ（図示せず）と、少なくとも一つの音声ユニット（図示せず）とからなる。
【００１２】
図２、及び図３を参照する。制御ユニット３０は、所定の電流の強さを設定し、計測部品３１は、第一充電電池１０及び第二充電電池２０の総電流を計測する。第一充電電池１０と第二充電電池２０の総電流が所定の電流の強さよりも大きい時、開閉部品３２は第一充電電池１０との接続をオフにする。
【００１３】
また、第二充電電池２０の電流が所定の電流の強さよりも小さい時、開閉部品３２は第一充電電池１０との接続をオンにする。更に、計測と接続のオン・オフが繰返し行われることにより、第一充電電池１０と第二充電電池２０が互いに充電される。加えて、所定の電流の強さは、第一充電電池１０と第二充電電池２０の定格電流よりも小さいか、或は同等であるため、第一充電電池１０と第二充電電池２０が保護されて、使用寿命を延長させることが出来る。
【符号の説明】
【００１４】
１電池充電平衡化装置
１０第一充電電池
２０第二充電電池
３０制御ユニット
３１計測部品
３２開閉部品
３３第一入力ポート
３４第二入力ポート
３５箱体
４０機能ユニット
【図１】
0003202471.tif 000003
【図２】
0003202471.tif 000004
【図３】
0003202471.tif 000005